(57)【要約】【課題】  液溜め室の容量を確保しつつ、液圧ユニットの大型化を抑制できるブレーキ制御装置を提供する。【解決手段】  カム室107へ漏れ出たブレーキ液を回収して貯留するための液溜め室111が、液圧ユニットCに接続する別ユニットであるストロークシミュレータユニットBを利用して構成されている。【選択図】  図３
2020142749.tif 000002
【特許請求の範囲】
【請求項１】
ブレーキ制御装置であって、
液圧ユニットと、液圧シリンダユニットと、を備え、
前記液圧ユニットは、
モータと、
前記モータによって駆動されるポンプを収容する第１ハウジングであって、前記モータが配置される第１の面と、前記第１の面から前記モータの回転軸線の方向に延出し、前記モータによって回転されるシャフトが収容される収容室と、ブレーキ液圧に応じて車輪に制動力を付与する制動力付与部に接続される接続液路と、を備える前記第１ハウジングと、
を有し、
前記液圧シリンダユニットは、
前記収容室と接続する液溜め室を構成する第２ハウジングと、
前記第２ハウジングの内部に流入したブレーキ液により作動するピストンが設けられた液圧シリンダ部と、
を有するブレーキ制御装置。
【請求項２】
請求項１に記載のブレーキ制御装置であって、
前記液圧シリンダ部はストロークシミュレータである、
ブレーキ制御装置。
【請求項３】
請求項２に記載のブレーキ制御装置であって、
前記第１ハウジングは第２の面を有し、
前記第２ハウジングは当接面を有し、
前記液溜め室は、前記第２の面と前記当接面とが当接することで構成される、
ブレーキ制御装置。
【請求項４】
請求項３に記載のブレーキ制御装置であって、
前記液溜め室は、
前記第２ハウジングに設けられた第１液溜め部であって、前記当接面に開口する前記第１液溜め部を有する、
ブレーキ制御装置。
【請求項５】
請求項４に記載のブレーキ制御装置であって、
前記第１液溜め部は、前記第２ハウジングを前記第１ハウジングに固定するために前記第２ハウジングに設けられた結合部に配置される、
ブレーキ制御装置。
【請求項６】
請求項５に記載のブレーキ制御装置であって、
前記結合部と、前記ストロークシミュレータのシリンダ部と、は重なる配置をとる、
ブレーキ制御装置。
【請求項７】
請求項５に記載のブレーキ制御装置は、
前記第２ハウジングを前記第１ハウジングに固定するための固定具を備え、
前記固定具は、前記第１液溜め部を挟むように設けられる、
ブレーキ制御装置。
【請求項８】
請求項４に記載のブレーキ制御装置であって、
前記液溜め室は、
前記第１ハウジングに設けられた第２液溜め部であって、前記第２の面に開口する前記第２液溜め部を有する、
ブレーキ制御装置。
【請求項９】
請求項４に記載のブレーキ制御装置であって、
前記第２の面と前記当接面とはシール部材を介して当接する、
ブレーキ制御装置。
【請求項１０】
請求項４に記載のブレーキ制御装置であって、
前記ストロークシミュレータは、車両に搭載された状態で水平方向に沿って延びるように配置される、
ブレーキ制御装置。
【請求項１１】
請求項１０に記載のブレーキ制御装置であって、
前記第２の面は、前記車両に搭載された状態で下面となる、
ブレーキ制御装置。
【請求項１２】
請求項４に記載のブレーキ制御装置であって、
前記ストロークシミュレータは、車両に搭載された状態で重力方向に沿って延びるように配置される、
ブレーキ制御装置。
【請求項１３】
請求項１２に記載のブレーキ制御装置であって、
前記第２の面は、前記車両に搭載された状態で側面となる、
ブレーキ制御装置。
【請求項１４】
請求項２に記載のブレーキ制御装置であって、
前記第１ハウジングは、
第２の面と、
前記収容室と接続し、前記第２の面に開口する排出ポートと、
を有し、
前記液溜め室は、前記第２ハウジングに設けられた液溜め部であり、前記液溜め部と前記排出ポートとは、配管で接続される、
ブレーキ制御装置。
【請求項１５】
請求項２に記載のブレーキ制御装置は、
前記シャフトの外周に設けられた偏心カムを備え、
前記ポンプはプランジャポンプであり、
前記偏心カムは、前記プランジャポンプのプランジャに当接し、
前記収容室は、前記偏心カムを収容するカム室である、
ブレーキ制御装置。
【請求項１６】
請求項１に記載のブレーキ制御装置であって、
前記液圧シリンダ部はマスタシリンダである、
ブレーキ制御装置。
【請求項１７】
請求項１に記載のブレーキ制御装置であって、
前記液溜め室は、前記第２ハウジングに設けられた液溜め部を有する、
ブレーキ制御装置。
【発明の詳細な説明】
【技術分野】
【０００１】
本発明は、ブレーキ制御装置に関する。
【背景技術】
【０００２】
特許文献１には、モータにより駆動するポンプを備えた液圧ユニットにおいて、モータのフロントプレートに凹部が設けられ、この凹部をポンプから漏れたブレーキ液を貯留する液溜め室とするブレーキ制御装置が開示されている。
【先行技術文献】
【特許文献】
【０００３】
【特許文献１】特許第5353139号
【発明の概要】
【発明が解決しようとする課題】
【０００４】
しかしながら、上記従来技術にあっては、液圧ユニットの内部に液溜め室が設けられているため、大容量の液溜め室が必要となる場合、液圧ユニットの大型化を招くおそれがあった。
本発明の目的の一つは、液溜め室の容量を確保しつつ、液圧ユニットの大型化を抑制できるブレーキ制御装置を提供することにある。
【課題を解決するための手段】
【０００５】
本発明の一実施形態におけるブレーキ制御装置は、収容室へ漏れ出たブレーキ液を回収して貯留するための液溜め室が、液圧ユニットに接続する別ユニットである液圧シリンダユニットを利用して構成されている。
【発明の効果】
【０００６】
よって、本発明によれば、液溜め室の容量を確保しつつ、液圧ユニットの大型化を抑制できる。
【図面の簡単な説明】
【０００７】
【図１】実施形態１のブレーキ制御装置1の構成図である。
【図２】実施形態１のブレーキ制御装置1の右側面図である。
【図３】実施形態１のブレーキ制御装置1を示す図２のS3-S3線矢視断面図である。
【図４】実施形態１のストロークシミュレータハウジング70を車載状態における鉛直方向上側から見た斜視図である。
【図５】実施形態２のブレーキ制御装置200を車載状態における鉛直方向下側から見た斜視図である。
【図６】実施形態３のブレーキ制御装置201を示す図２のS3-S3線矢視断面図である。
【図７】実施形態４のブレーキ制御装置202を示す図２のS3-S3線矢視断面図である。
【図８】実施形態５のブレーキ制御装置203を示す図２のS3-S3線矢視断面図である。
【図９】実施形態６のブレーキ制御装置204の構成図である。
【発明を実施するための形態】
【０００８】
〔実施形態１〕
図１は、実施形態１のブレーキ制御装置1の構成図である。
ブレーキ制御装置1は、各車輪FL〜RRを駆動する原動機として内燃機関（エンジン）のみを備えた一般的な車両のほか、内燃機関に加えて電動式のモータ（ジェネレータ）を備えたハイブリッド車や、電動式のモータのみを備えた電気自動車等に搭載されている。ブレーキ制御装置1は、各車輪（左前輪FL、右前輪FR、左後輪RL、右後輪RR）に設置され、ホイルシリンダ（制動力付与部）2の液圧に応じて作動するディスクブレーキを有する。ブレーキ制御装置1は、ホイルシリンダ2の液圧を調整することにより、各車輪FL〜RRに制動力を付与する。ブレーキ制御装置1は、２系統（プライマリP系統およびセカンダリS系統）のブレーキ配管を有する。ブレーキ配管形式は、例えばX配管形式である。以下、プライマリ系統（以下P系統）に対応する部材とセカンダリ系統（以下、S系統）に対応する部材を区別する場合には、符号の末尾に添字P,Sを付す。また、各車輪FL〜RRに対応する部材を区別する場合には、その符号の末尾に添字a〜dを付す。
【０００９】
ブレーキ制御装置1は、マスタシリンダユニットA、ストロークシミュレータユニット（液圧シリンダユニット）Bおよび液圧ユニットCを有する。各ユニットA,B,Cは、車両の運転室から隔離されたエンジンルームに設置されている。マスタシリンダユニットAおよび液圧ユニットC間は、プライマリ配管101、セカンダリ配管102および吸入配管103を介して接続する。液圧ユニットCおよびストロークシミュレータユニットBは一体に設けられ、複数の液路を介して接続する。液圧ユニットCおよびホイルシリンダ2間は、ホイルシリンダ配管104を介して接続する。
マスタシリンダユニットAは、ブレーキペダル3、プッシュロッド4、マスタシリンダハウジング50、マスタシリンダ5およびリザーバタンク6を有する。
ブレーキペダル3は、ドライバのブレーキ操作の入力を受けるブレーキ操作部材である。プッシュロッド4は、ブレーキペダル3の操作に応じてストロークする。マスタシリンダ5は、プッシュロッド4のストローク量により作動し、ブレーキ液圧（マスタシリンダ液圧）を発生する。
マスタシリンダハウジング50は、内部にマスタシリンダ5を収容する筐体である。マスタシリンダ5は、リザーバタンク6からブレーキ液が補給される。マスタシリンダ5は、タンデム型であり、プッシュロッド4のストロークに応じてストロークするプライマリピストン51Pおよびセカンダリピストン51Sを有する。両ピストン51P,51Sは、プッシュロッド4の軸方向に沿って直列に並ぶ。プライマリピストン51Pはプッシュロッド4に接続されている。セカンダリピストン51Sはフリーピストン型である。マスタシリンダ5には、ストロークセンサ60が取り付けられている。ストロークセンサ60は、ブレーキペダル3のペダルストローク量として、プライマリピストン51Pのストローク量を検出する。
【００１０】
ストロークシミュレータユニットBは、ストロークシミュレータハウジング（第２ハウジング）70およびストロークシミュレータ（液圧シリンダ部）7を有する。ストロークシミュレータハウジング70は、内部にストロークシミュレータ7を収容する筐体であって、アルミ鋳造により成形されている。ストロークシミュレータ7は、ドライバのブレーキ操作に応じて作動する。ストロークシミュレータ7は、ドライバのブレーキ操作に応じてマスタシリンダ5の内部から流出したブレーキ液が流入することで、ペダルストロークを発生させる。ストロークシミュレータ7のピストン71は、マスタシリンダ5から供給されたブレーキ液により、シリンダ部72内をスプリング73の付勢力に抗して軸方向に作動する。これにより、ストロークシミュレータ7は、ドライバのブレーキ操作に応じた操作反力を生成する。
【００１１】
液圧ユニットCは、ドライバのブレーキ操作とは独立して各車輪FL〜RRに制動力を付与可能である。液圧ユニットCは、マスタシリンダ5およびリザーバタンク6からブレーキ液の供給を受ける。液圧ユニットCは、マスタシリンダ5およびホイルシリンダ2間に設置されている。液圧ユニットCは、液圧ユニットハウジング（第１ハウジング）80、モータ211、ポンプ21および複数の電磁弁（遮断弁12等）を有する。液圧ユニットハウジング80は、内部にポンプ21および複数の電磁弁（遮断弁12等）を収容する。モータ211は、ポンプ21を駆動する。モータ211は、例えばブラシ付きモータである。モータ211は、液圧ユニットハウジング80の正面に固定されている。ポンプ21は、リザーバタンク6からブレーキ液を吸入し、ホイルシリンダ2へ向けて吐出する。ポンプ21は、５気筒のプランジャポンプである。モータ211は、例えばブラシ付きモータである。遮断弁12等は、制御信号に応じて開閉動作し、液路11等の連通状態を切り替えることにより、ブレーキ液の流れを制御する。液圧ユニットCは、マスタシリンダ5およびホイルシリンダ2間の連通を遮断した状態で、ポンプが発生するブレーキ液圧によりホイルシリンダ2を加圧する。また、液圧ユニットCは、各所の液圧を検出する液圧センサ35〜37を有する。
【００１２】
コントロールユニット9は、ポンプ21および複数の電磁弁（遮断弁12等）の作動を制御する。コントロールユニット9には、ストロークセンサ60および液圧センサ35〜37から送られる検出値に加え、車両側から送られる走行状態に関する情報（車輪速等）が入力される。コントロールユニット9は、入力された各種情報に基づき、内蔵されるプログラムに従って情報処理を行い、ホイルシリンダ2の目標ホイルシリンダ液圧を演算する。コントロールユニット9は、ホイルシリンダ2のホイルシリンダ液圧が目標ホイルシリンダ液圧となるように液圧ユニットCの各アクチュエータに指令信号を出力する。これにより、各種ブレーキ制御（倍力制御、アンチロック制御(ABS)、車両運動制御のためのブレーキ制御、自動ブレーキ制御および回生協調ブレーキ制御等）を実現できる。倍力制御は、ドライバのブレーキ踏力では不足するブレーキ液圧を発生してブレーキ操作を補助する。アンチロック制御は、各車輪FL〜RRの制動スリップ（ロック傾向）を抑制する。車両運動制御は、横滑り等を防止する車両挙動安定化制御である。自動ブレーキ制御は、先行車追従制御や自動緊急ブレーキ等である。回生協調ブレーキ制御は、回生ブレーキと協調して目標減速度を達成するようにホイルシリンダ液圧を制御する。
【００１３】
マスタシリンダ5の両ピストン51P,51Sは、円筒状の内周面を有するシリンダ部54に収容されている。シリンダ部54は、マスタシリンダハウジング50の一部である。マスタシリンダ5の両ピストン51P,51S間には、プライマリ液圧室52Pが画成されている。プライマリ液圧室52Pには、圧縮コイルスプリング53Pが設置されている。セカンダリピストン51Sおよびマスタシリンダハウジング50に形成されたシリンダ部54の底部541間には、セカンダリ液圧室52Sが画成されている。セカンダリ液圧室52Sには、圧縮コイルスプリング53Sが設置されている。プライマリ液圧室52Pにプライマリポート55を介してプライマリ配管101と接続し、セカンダリ液圧室52Sはセカンダリポート56を介してセカンダリ配管102が接続する。プライマリ配管101およびセカンダリ配管102は、液圧ユニットハウジング80に形成されたマスタシリンダポート88を介して液路（接続液路）11と接続する。
マスタシリンダ5は、ドライバによるブレーキペダル3の踏み込み操作によってピストン51がストロークし、液圧室52の容積の減少に応じてマスタシリンダ液圧が発生する。両液圧室52P,52Sにはほぼ同じマスタシリンダ液圧が発生する。これにより、液圧室52から液路11を介してホイルシリンダ2へ向けてブレーキ液が供給される。マスタシリンダ5は、プライマリ液圧室52Pに発生したマスタシリンダ液圧によりP系統の液路（プライマリ配管101、液路11P、ホイルシリンダ配管104a,104d）を介してP系統のホイルシリンダ2a,2dを加圧する。また、マスタシリンダ5は、セカンダリ液圧室52Sに発生したマスタシリンダ液圧によりS系統の液路（セカンダリ配管102、液路11S、ホイルシリンダ配管104b,104c）を介してS系統のホイルシリンダ2b,2cを加圧する。
【００１４】
ストロークシミュレータ7は、シリンダ部72、ピストン71、スプリング73およびダンパ74を有する。シリンダ部72は、ストロークシミュレータハウジング70の一部であって、円筒状の内周面を有する。シリンダ部72は、ピストン収容部721およびダンパ収容部722を含む。ピストン収容部721はダンパ収容部722よりも小径である。ダンパ収容部722の内周面には、背圧ポート791が開口する。背圧ポート791は、液圧ユニットCの背圧ポート82と接続する。ピストン71は、ピストン収容部721内を軸方向に移動可能である。ピストン71は、シリンダ部72内を正圧室711と背圧室712とに分離する。正圧室711には、正圧液路792が開口する。正圧液路792は、液圧ユニットCの正圧ポート81と接続する。背圧室712には、上述したように背圧ポート791が開口する。ピストン71の外周には、ピストンシール75が設置されている。ピストンシール75は、ピストン71の外周面に摺接し、ピストン収容部721の内周面およびピストン71の外周面間をシールする。ピストンシール75は、正圧室711および背圧室712間をシールすることでこれらを液密に分離する分離シール部材であり、ピストン71の機能を補完する。
【００１５】
スプリング73は、圧縮コイルスプリングであり、ピストン71を背圧室712側から正圧室711側へ向かって付勢する。スプリング73は、圧縮量に応じて反力を発生する。スプリング73は、ピストン71およびリテーナ部材78間に配置されている。ダンパ74はゴム等の弾性部材であり、円筒状である。ダンパ74は、ダンパ収容部722を塞ぐプラグ部材76に、リテーナ部材78と対向して設置されている。
ストロークシミュレータ7は、ドライバのブレーキ操作に応じて正圧室711にブレーキ液が流入し、正圧室711におけるピストン71の受圧面に所定以上の液圧（マスタシリンダ液圧）が作用すると、ピストン71がスプリング73を押し縮めつつ背圧室712の側に向かって移動する。このとき正圧室711の容積が拡大すると同時に、背圧室712の容積が縮小する。これにより、プライマリ液圧室52Pから流れ出たブレーキ液が正圧室711の内部に流入すると同時に、背圧室712からブレーキ液が流出し、背圧室712のブレーキ液が排出される。このとき、スプリング73が所定量以上圧縮されると、ダンパ74がプラグ部材76とリテーナ部材78との間に挟まれて弾性変形する。これらにより衝撃が緩和されると共に、ペダル踏力（ペダル反力）とペダルストロークとの関係（特性）を調整可能である。よって、ブレーキ操作のフィールが向上する。なお、正圧室711内の圧力が所定未満に減少すると、スプリング73の付勢力（弾性力）によりピストン71が初期位置に復帰する。
【００１６】
液圧ユニットハウジング80は、内部に複数の液路（液路11等）を有する。液路11Pは液路11aと液路11dに分岐し、ホイルシリンダ配管104a,104dと接続する。液路11Sは液路11bと液路11cに分岐し、ホイルシリンダ配管104b,104cと接続する。遮断弁12は、液路11に設けられた常開型の（非通電状態で開弁する）電磁比例弁である。電磁比例弁は、ソレノイドに供給される電流に応じて任意の開度を実現できる。液路11は、遮断弁12によって、マスタシリンダ5側の液路11Aとホイルシリンダ2側の液路11Bとに分離されている。
ソレノイドイン弁13は、液路11における遮断弁12よりもホイルシリンダ2側（液路11a〜11d）に、各車輪FL〜RRに対応して設けられた常開型の電磁比例弁である。液路11には、ソレノイドイン弁13をバイパスするバイパス液路14が設けられている。バイパス液路14には、ホイルシリンダ2側からマスタシリンダ5側へのブレーキ液の流れのみを許容するチェック弁15が設けられている。
【００１７】
吸入配管103は、リザーバタンク6と液圧ユニットハウジング80に形成された内部リザーバ17とを接続する。液路18は、内部リザーバ17とポンプ21の吸入側とを接続する。液路19は、ポンプ21の吐出側と、液路11Bにおける遮断弁12とソレノイドイン弁13との間とを接続する。液路19は、P系統の液路19PとS系統の液路19Sとに分岐する。両液路19P,19Sは液路11P,11Sに接続する。両液路19P,19Sは、液路11P,11Sを互いに接続する連通路として機能する。連通弁20は、液路19に設けられた常閉型の（非通電状態で閉弁する）オンオフ弁である。オンオフ弁は、ソレノイドに供給される電流に応じて開閉が２値的に切り替えられる。
【００１８】
ポンプ21は、リザーバタンク6から供給されるブレーキ液により液路11に液圧を発生させてホイルシリンダ液圧を発生させる。ポンプ21は、液路19および液路11P,11Sを介してホイルシリンダ2a〜2dと接続しており、液路19にブレーキ液を吐出することでホイルシリンダ2を加圧する。
液路22は、両液路19P,19Sの分岐点と液路23とを接続する。液路22には、調圧弁24が設けられている。調圧弁24は、常開型の電磁比例弁である。液路23は、液路11Bにおけるソレノイドイン弁13よりもホイルシリンダ2側と、内部リザーバ17とを接続する。ソレノイドアウト弁25は、液路23に設けられた常閉型のオンオフ弁である。
液路26は、P系統の液路11Aから分岐して正圧ポート81と接続する。
液路27は、液路11P(11A)および背圧ポート82と接続する。具体的には、液路27は、液路11P（11B）における遮断弁12Ｐとソレノイドイン弁13との間から分岐して背圧ポート82に接続する。
【００１９】
ストロークシミュレータイン弁28は、液路27に設けられた常閉型のオンオフ弁である。液路27は、ストロークシミュレータイン弁28によって、背圧室712側の液路27Aと液路11側の液路27Bとに分離されている。ストロークシミュレータイン弁28をバイパスして液路27と並列にバイパス液路29が設けられている。バイパス液路29は、液路27Aおよび液路27B間を接続する。バイパス液路29にはチェック弁30が設けられている。チェック弁30は、液路27Aから液路11(27B)側へ向うブレーキ液の流れを許容し、逆方向へのブレーキ液の流れを抑制する。
液路31は、ストロークシミュレータ7の背圧室712および液路23間を接続する。ストロークシミュレータアウト弁32は、液路31に設けられた常閉型のオンオフ弁である。ストロークシミュレータアウト弁32をバイパスして、液路31と並列にバイパス液路33が設けられている。バイパス液路33には、液路23側から背圧室712側へ向うブレーキ液の流れを許容し、逆方向へのブレーキ液の流れを抑制するチェック弁34が設けられている。
【００２０】
液路11Pにおける遮断弁12Pとマスタシリンダ5との間（液路11A）には、この箇所の液圧（マスタシリンダ液圧）を検出するマスタシリンダ液圧センサ35が設けられている。液路11における遮断弁12とソレノイドイン弁13との間には、この箇所の液圧（ホイルシリンダ液圧）を検出するホイルシリンダ液圧センサ（P系統圧センサ、S系統圧センサ）36が設けられている。液路19におけるポンプ21の吐出側と連通弁20との間には、この箇所の液圧（ポンプ吐出圧）を検出する吐出圧センサ37が設けられている。
【００２１】
遮断弁12が開弁した状態で、マスタシリンダ5の液圧室52およびホイルシリンダ2間を接続するブレーキ系統（液路11）は、第１の系統を構成する。この第１の系統は、踏力を用いて発生させたマスタシリンダ液圧によりホイルシリンダ液圧を発生させることで、踏力ブレーキ（非倍力制御）を実現可能である。一方、遮断弁12が閉弁した状態で、ポンプ21を含み、リザーバタンク6およびホイルシリンダ2間を接続するブレーキ系統（液路19、液路22、液路23等）は、第２の系統を構成する。この第２の系統は、ポンプ21を用いて発生させた液圧によりホイルシリンダ液圧を発生させる、いわゆるブレーキバイワイヤ装置を構成し、ブレーキバイワイヤ制御として倍力制御等を実現可能である。ブレーキバイワイヤ制御時、ストロークシミュレータ7は、ドライバのブレーキ操作に伴う操作反力を生成する。
【００２２】
図２は実施形態１のブレーキ制御装置1の右側面図、図３は実施形態１のブレーキ制御装置1を示す図２のS3-S3線矢視断面図である。
液圧ユニットハウジング80は、アルミ展伸材等により略直方形状に成形された筐体である。液圧ユニットハウジング80の正面（第１の面）801には、モータケーシング2110がボルト締結されている。モータケーシング2110は、内部にモータ211を収容する。液圧ユニットハウジング80の背面802には、コントロールユニットハウジング90がボルト締結されている。コントロールユニットハウジング90は、内部にコントロールユニット9を収容する。液圧ユニットハウジング80の上面803には、内部リザーバ17と接続するニップル105が取り付けられている。液圧ユニットハウジング80の下面（第２の面）804には、ストロークシミュレータハウジング70が取り付けられている。図４は、実施形態１のストロークシミュレータハウジング70を車載状態における鉛直方向上側から見た斜視図であり、ストロークシミュレータハウジング70は、２本のスクリュ（固定具）106,106により液圧ユニットハウジング80に締結固定されている。スクリュ106の下部は、図外のインシュレータを介して車両に固定されている。液圧ユニットハウジング80は、上面803が鉛直方向（重力方向）上側を向いた状態で車両に搭載される。よって、ストロークシミュレータ7は、車両に搭載された状態（以下、車載状態）で水平方向に沿って延びるように配置される。
【００２３】
液圧ユニットハウジング80には、モータ211の回転軸線Oの方向に延び、正面801に開口するカム室（収容室）107が設けられている。回転軸線Oの方向から見たとき、カム室107の中心は回転軸線O上にある。カム室107は、カムシャフト（シャフト）108を収容する。カムシャフト108は、モータ211により回転軸線O周りに回転駆動される。カムシャフト108の外周には、偏心カム1081としてカムベアリングが設けられている。偏心カム1081の回転軸線は、回転軸線Oに対して偏心している。液圧ユニットハウジング80には、５つのシリンダ収容孔109が形成されている。各シリンダ収容孔109は、液圧ユニットハウジング80の右側面805に２個、左側面806に２個、下面804に１個配置され、回転軸線O周りの方向（周方向）に等間隔で並ぶ。各シリンダ収容孔109は、カム室107と接続する。各シリンダ収容孔109には、ポンプ21を構成するプランジャポンプ110が収容されている。カムシャフト108が回転すると、各プランジャポンプ110において偏心カム1081の外周と当接するプランジャ1100が回転軸線Oに対し直交する方向に往復運動することにより、ポンプ21は、ブレーキ液の吸入と吐出を行う。プランジャ1100の外周とシリンダ収容孔109の内周との間には、円環状の低圧シール部1101が設けられている。低圧シール部1101は、シリンダ収容孔109からカム室107へのブレーキ液の流出を抑制する。
【００２４】
ストロークシミュレータハウジング70は、シリンダ部72に加えて、ストロークシミュレータハウジング70を液圧ユニットハウジング80に固定するための結合部701を有する。結合部701は、車載状態でシリンダ部72の上方に位置し、円筒状のシリンダ部72と平坦な下面804とを繋ぐ形状を有する。結合部701は、車載状態において、シリンダ部72と鉛直方向に重なる（オーバーラップする）。結合部701は、下面804と当接する平坦な当接面7011を有する。結合部701は、その内部に、当接面7011に向けて開口する凹部である第１液溜め部702を有する。当接面7011は、第１液溜め部702の周囲を囲むように設けられている。当接面7011と下面804とは、環状のシール部材112を介して当接する。シール部材112は、当接面7011に設けられた環状溝7010に設置されている。シール部材112は、例えば、Oリング、比較的軟性な金属材料によるガスケット、シート状のゴム、樹脂材によるパッキン等である。第１液溜め部702の内部は、下面804により閉塞されて液溜め室111を構成する。液溜め室111には、液圧ユニットハウジング80に形成された図外の排出液路の下端が開口する。当該排出液路の上端は、カム室107に開口する。ポンプ21の作動に伴いカム室107に漏れ出たブレーキ液は、その自重により、排出液路を通過して液溜め室111に貯留される。液溜め室111は、10数ccのブレーキ液を貯留する容量を持つ。結合部701は、車載状態で鉛直方向上下に延びる２つのリブ部7012を有する。各リブ部7012は、スクリュ106が貫通する貫通穴7013を有する。各貫通穴7013の中心は、ストロークシミュレータ7の軸線方向において、第１液溜め部702の両端の位置と略一致する。よって、ストロークシミュレータハウジング70が２つのスクリュ106,106により液圧ユニットハウジング80に固定されたとき、２つのスクリュ106,106は、第１液溜め部702を挟むように設けられる。
【００２５】
次に、実施形態１の作用効果を説明する。
モータにより駆動されるプランジャポンプによってブレーキ液を昇圧するブレーキ制御装置において、ポンプを作動させると、低圧シール部からカム室にブレーキ液が漏れ出る。カム室に漏れ出たブレーキ液がモータやコントロールユニットの内部に侵入すると、発煙や発火、ブラシの著しい摩耗等が生じるおそれがあり、信頼性低下や耐久劣化を引き起こす原因となる。そこで、従来のブレーキ装置では、カム室に漏れ出たブレーキ液を回収して貯留するための液溜め室が液圧ユニットハウジングに設けられている。
ここで、ABS（アンチロック・ブレーキシステム）やESC（横滑り防止装置）に用いられるブレーキ制御装置は、ポンプの作動頻度が比較的少ないため、液溜め室に必要な容量は2〜3cc程度で十分であった。一方、ブレーキ・バイ・ワイヤシステムや自動緊急ブレーキに用いられるブレーキ制御装置のようにポンプの作動頻度が高い場合や、脈動低減のためにポンプを多気筒化した場合には、ブレーキ液の漏れ量が多いため、さらに大容量（10数cc）の液溜め室が必要となる。
ところが、液圧ユニットの内部にはポンプ、複数の電磁弁といった多数の構成部品が収容されると共に、多数の油路が形成されている。このため、液溜め室をさらに大容量化する場合、液圧ユニットの大型化および重量増を招くおそれがある。また、大容量の液溜め室を液圧ユニットの内部に設けた場合、油路レイアウト性が著しく低下する要因となる。
【００２６】
そこで、実施形態１のブレーキ制御装置1では、カム室107へ漏れ出たブレーキ液を回収して貯留するための液溜め室111が、液圧ユニットCに接続する別ユニットであるストロークシミュレータユニットBを利用して構成されている。これにより、液圧ユニットCの内部に大容量の液溜め室を設ける必要がないため、液溜め室111の容量を確保しつつ、液圧ユニットCの大型化を抑制できる。また、油路レイアウト性の低下も抑制できる。
液圧ユニットハウジング80は、下面804を有し、ストロークシミュレータハウジング70は、当接面7011を有し、液溜め室111は、下面804と当接面7011とが当接することで構成される。よって、液圧ユニットハウジング80とストロークシミュレータハウジング70とを接続する外部配管が不要であるため、構造の簡素化および小型化に寄与する。
液溜め室111は、ストロークシミュレータハウジング70に設けられ、当接面7011に開口する第１液溜め部702を有する。よって、ブレーキ液を貯留する空間である第１液溜め部702をストロークシミュレータユニットB側に設けることにより、液圧ユニットハウジング80の大型化をより抑制できる。
【００２７】
第１液溜め部702は、ストロークシミュレータハウジング70を液圧ユニットハウジング80に固定するためにストロークシミュレータハウジング70に設けられた結合部701に配置される。略円筒状のシリンダ部72を液圧ユニットハウジング80に締結固定する場合、当接面7011は平面である必要があり、ストロークシミュレータ7と連通する液路や締結部以外は駄肉となってしまう。そこで、結合部701のうち駄肉となる部分を肉抜きして第１液溜め部702を形成することにより、ストロークシミュレータハウジング70の軽量化を図りつつ、従来はデッドスペースであった駄肉部分を有効利用して液溜め室111としての十分な容量を確保できる。また、ストロークシミュレータハウジング70はアルミ鋳造により成形されているため、凹部である第１液溜め部702を形成（肉抜き）した分の原材料費を低減できる。
結合部701と、ストロークシミュレータ7のシリンダ部72とは車載状態において、鉛直方向に重なる配置をとる。つまり、結合部701はシリンダ部72と鉛直方向にオーバーラップしているため、結合部701の内部に第１液溜め部702を設けた場合であっても、鉛直方向におけるブレーキ制御装置1の寸法が増大するのを抑制できる。
【００２８】
ストロークシミュレータハウジング70を液圧ユニットハウジング80に固定するための２本のスクリュ106,106は、ストロークシミュレータ7の軸線方向において、第１液溜め部702の両端の位置に配置される。すなわち、２本のスクリュ106,106は、第１液溜め部702を挟むように設けられる。よって、第１液溜め部702の周囲において、２本のスクリュ106,106による締結力が均等に作用するため、液溜め室111と外部との液密性を向上できる。
下面804と当接面7011とはシール部材112を介して当接する。よって、液溜め室111と外部との液密性をより向上でき、液溜め室111から外部へのブレーキ液の漏出および外部から液溜め室111への水、コンタミ等の侵入を抑制できる。
ストロークシミュレータユニットBは、車載状態で水平方向に沿って延びるように配置されている。つまり、ストロークシミュレータユニットBは、ストロークシミュレータ7の軸線方向が水平方向に沿って延びるように車両に搭載されている。よって、車載状態において、水平方向から見たときのストロークシミュレータユニットBの投影面積を小さくできる。さらに、ストロークシミュレータユニットBは、車載状態で液圧ユニットCの下方に配置されている。よって、ストロークシミュレータユニットBおよび液圧ユニットCの鉛直方向における投影面積の最小化により、幅方向（水平方向）の寸法を小さくできる。
【００２９】
〔実施形態２〕
実施形態２の基本的な構成は実施形態１と同じであるため、実施形態１と相違する部分のみ説明する。
図５は、実施形態２のブレーキ制御装置200を車載状態における鉛直方向下側から見た斜視図である。
液圧ユニットハウジング80は、下面804に開口する凹部である第２液溜め部83を有する。第２液溜め部83は、車載状態において、鉛直方向から見たとき、第１液溜め部702と重なるように配置されている。第２液溜め部83は、第１液溜め部702と共に液溜め室111を構成する。よって、実施形態２では、第２液溜め部83の分だけ液溜め室111の大容量化を図れる。
【００３０】
〔実施形態３〕
実施形態３の基本的な構成は実施形態１と同じであるため、実施形態１と相違する部分のみ説明する。
図６は、実施形態３のブレーキ制御装置201を示す図２のS3-S3線矢視断面図である。
液圧ユニットハウジング80の下面804とストロークシミュレータハウジング70の当接面7011とは、環状のシール部材113を介して当接する。シール部材113は、下面804に設けられた環状溝8041に設置されている。シール部材113は、例えば、Oリング、比較的軟性な金属材料によるガスケット、シート状のゴム、樹脂材によるパッキン等である。
液圧ユニットハウジング80は、下面804に向けて開口する２つの凹部である第２液溜め部84,85を有する。第２液溜め部84,85は、車載状態において、鉛直方向から見たとき、シール部材113の内側に配置され、左側面806の側から右側面805の側へ向かう方向に並ぶ。当接面7011は、平坦に形成されている。第２液溜め部84,85の内部は、当接面7011により閉塞されて液溜め室114,115を構成する。第２液溜め部84には、排出液路38の下端が開口する。排出液路38の上端はカム室107に開口する。第２液溜め部85についても図外の排出液路を介してカム室107と連通する。
従来のブレーキ制御装置では、液圧ユニットハウジングに形成した液溜め部の開口をプラグ等で封止することで液溜め室を形成している。これに対し、実施形態３の液溜め室114,115は、第２液溜め部84,85がストロークシミュレータハウジング70の当接面7011で封止されている。よって、プラグの挿入が不要な分だけ液溜め室114,115の大容量化を図れる。つまり、第２液溜め部84,85の容量を最大限有効活用できる。また、プラグおよびその挿入工程が不要であるから、部品点数削減およびコスト低減を図れる。
【００３１】
〔実施形態４〕
実施形態４の基本的な構成は実施形態１と同じであるため、実施形態１と相違する部分のみ説明する。
図７は、実施形態４のブレーキ制御装置202を示す図２のS3-S3線矢視断面図である。
ストロークシミュレータハウジング70は、液圧ユニットハウジング80の右側面（第２の面）805に、複数のスクリュ（不図示）を用いて締結固定されている。
液圧ユニットハウジング80は、右側面805に開口する２つの凹部である第２液溜め部86,87を有する。第２液溜め部86,87は、車載状態において、水平方向から見たとき、シール部材112の内側であって、第１液溜め部702と重なるように配置され、上面803の側から下面804の側へ向かう方向に並ぶ。第２液溜め部86,87は、第１液溜め部702と共に液溜め室116を構成する。第２液溜め部87には、排出液路39の下端が開口する。排出液路39の上端はカム室107に開口する。
実施形態４のストロークシミュレータユニットBは、車載状態で鉛直方向に沿って延びるように配置されている。つまり、ストロークシミュレータユニットBは、ストロークシミュレータ7の軸線方向が鉛直方向に沿って延びるように車両に搭載されている。よって、鉛直方向上側から見たときのストロークシミュレータユニットBの投影面積を小さくできる。さらに、ストロークシミュレータユニットBは、車載状態で液圧ユニットCの右側方に配置されている。よって、ストロークシミュレータユニットBおよび液圧ユニットCの水平方向（液圧ユニットハウジング80の正面801に沿う方向）における投影面積の最小化により、高さ方向（鉛直方向）の寸法を小さくできる。
【００３２】
〔実施形態５〕
実施形態５の基本的な構成は実施形態４と同じであるため、実施形態４と相違する部分のみ説明する。
図８は、実施形態５のブレーキ制御装置203を示す図２のS3-S3線矢視断面図である。
ストロークシミュレータユニットBは、液溜め部材79を有する。ストロークシミュレータハウジング70は、その内部に液溜め部材79を収容する。液溜め部材79は、車載状態において、プラグ部材76の下方に位置し、鉛直方向上側を向いて開口する。液溜め部材79の内部は、プラグ部材76により閉塞されて液溜め室117を構成する。液溜め部材79は、液溜め室117と外周とを接続する複数の径方向液路793を有する。径方向液路793は、ストロークシミュレータハウジング70に形成された排出ポート794と連通する。排出ポート794には、排出配管118が接続する。排出配管118は、液圧ユニットハウジング80において排出液路39の下端に設けられた排出ポート391と接続する。すなわち、実施形態５のブレーキ制御装置203において、液圧ユニットハウジング80は、右側面805と、カム室107と接続し、右側面805に開口する排出ポート391と、を有し、液溜め室117は、ストロークシミュレータハウジング70に設けられた液溜め部材79であり、液溜め部材79と排出ポート391とは、排出配管118で接続されている。つまり、ストロークシミュレータユニットBの内部に液溜め室117が設けられ、液溜め室117と液圧ユニットハウジング80とが外部配管（排出配管118）で接続されているため、液溜め室117を設計する際の制約が少なく、位置や形状を比較的自由に設定できる。よって、液溜め室117のレイアウト性の向上および大容量化を図れる。
【００３３】
〔実施形態６〕
実施形態６の基本的な構成は実施形態１と同じであるため、実施形態１と相違する部分のみ説明する。
図９は、実施形態６のブレーキ制御装置204の構成図である。
マスタシリンダユニット（液圧シリンダユニット）Aおよび液圧ユニットCは一体に設けられている。マスタシリンダ（液圧シリンダ部）5を収容するマスタシリンダハウジング（第２ハウジング）50の一面501は、液圧ユニットハウジング80の一面89と当接する。マスタシリンダユニットAのプライマリポート55およびセカンダリポート56は、液圧ユニットCのマスタシリンダポート88P,88Sと直接接続されている。
マスタシリンダハウジング50は、一面501に開口する凹部である液溜め部502を有する。液溜め部502の内部は、液圧ユニットハウジング80の一面89により閉塞されて液溜め室119を構成する。液溜め室119は、カム室107と排出液路40を介して連通する。液溜め室119は、カム室107よりも鉛直方向下側に設けられているため、カム室107に漏れ出たブレーキ液は、その自重により、排出液路40を通過して液溜め室119に貯留される。
実施形態６のブレーキ制御装置204では、カム室107へ漏れ出たブレーキ液を回収して貯留するための液溜め室119が、液圧ユニットCに接続する別ユニットであるマスタシリンダユニットAを利用して構成されている。これにより、液圧ユニットCの内部に大容量の液溜め室を設ける必要がないため、液溜め室119の容量を確保しつつ、液圧ユニットCの大型化および油路レイアウト性の低下を抑制できる。
【００３４】
〔他の実施形態〕
以上、本発明を実施するための実施形態を説明したが、本発明の具体的な構成は実施形態の構成に限定されるものではなく、発明の要旨を逸脱しない範囲の設計変更等があっても本発明に含まれる。
ポンプは、プランジャポンプに限らない。例えば、ギヤポンプやトロコイドポンプでもよい。
【００３５】
以上説明した実施形態から把握し得る技術的思想について、以下に記載する。
ブレーキ制御装置は、その一つの態様において、ブレーキ制御装置であって、液圧ユニットと、液圧シリンダユニットと、を備え、前記液圧ユニットは、モータと、前記モータによって駆動されるポンプを収容する第１ハウジングであって、前記モータが配置される第１の面と、前記第１の面から前記モータの回転軸線の方向に延出し、前記モータによって回転されるシャフトが収容される収容室と、ブレーキ液圧に応じて車輪に制動力を付与する制動力付与部に接続される接続液路と、を備える前記第１ハウジングと、を有し、前記液圧シリンダユニットは、前記収容室と接続する液溜め室を構成する第２ハウジングと、前記第２ハウジングの内部に流入したブレーキ液により作動するピストンが設けられた液圧シリンダ部と、を有する。
より好ましい態様では、上記態様において、前記液圧シリンダ部はストロークシミュレータである。
別の好ましい態様では、上記態様のいずれかにおいて、前記第１ハウジングは第２の面を有し、前記第２ハウジングは当接面を有し、前記液溜め室は、前記第２の面と前記当接面とが当接することで構成される。
【００３６】
さらに別の好ましい態様では、上記態様のいずれかにおいて、前記液溜め室は、前記第２ハウジングに設けられた第１液溜め部であって、前記当接面に開口する前記第１液溜め部を有する。
さらに別の好ましい態様では、上記態様のいずれかにおいて、前記第１液溜め部は、前記第２ハウジングを前記第１ハウジングに固定するために前記第２ハウジングに設けられた結合部に配置される。
さらに別の好ましい態様では、上記態様のいずれかにおいて、前記結合部と、前記ストロークシミュレータのシリンダ部と、は重なる配置をとる。
さらに別の好ましい態様では、上記態様のいずれかにおいて、前記第２ハウジングを前記第１ハウジングに固定するための固定具を備え、前記固定具は、前記第１液溜め室を挟むように設けられる。
【００３７】
さらに別の好ましい態様では、上記態様のいずれかにおいて、前記液溜め室は、前記第１ハウジングに設けられた第２液溜め部であって、前記第２の面に開口する前記第２液溜め部を有する。
さらに別の好ましい態様では、上記態様のいずれかにおいて、前記第２の面と前記当接面とはシール部材を介して当接する。
さらに別の好ましい態様では、上記態様のいずれかにおいて、前記ストロークシミュレータは、車両に搭載された状態で水平方向に沿って延びるように配置される。
さらに別の好ましい態様では、上記態様のいずれかにおいて、前記第２の面は、前記車両に搭載された状態で下面となる。
さらに別の好ましい態様では、上記態様のいずれかにおいて、前記ストロークシミュレータは、車両に搭載された状態で重力方向に沿って延びるように配置される。
さらに別の好ましい態様では、上記態様のいずれかにおいて、前記第２の面は、前記車両に搭載された状態で側面となる。
【００３８】
さらに別の好ましい態様では、上記態様のいずれかにおいて、前記第１ハウジングは、第２の面と、前記収容室と接続し、前記第２の面に開口する排出ポートと、を有し、前記液溜め室は、前記第２ハウジングに設けられた液溜め部であり、前記液溜め部と前記排出ポートとは、配管で接続される。
さらに別の好ましい態様では、上記態様のいずれかにおいて、前記シャフトの外周に設けられた偏心カムを備え、前記ポンプはプランジャポンプであり、前記偏心カムは、前記プランジャポンプのプランジャに当接し、前記収容室は、前記偏心カムを収容するカム室である。
さらに別の好ましい態様では、上記態様のいずれかにおいて、前記液圧シリンダ部はマスタシリンダである。
さらに別の好ましい態様では、上記態様のいずれかにおいて、前記液溜め室は、前記第２ハウジングに設けられた液溜め部を有する。
【符号の説明】
【００３９】
B  ストロークシミュレータユニット（液圧シリンダユニット）
C  液圧ユニット
FL〜RR  車輪
1  ブレーキ制御装置
7  ストロークシミュレータ（液圧シリンダ部）
11  液路（接続液路）
21  ポンプ
70  ストロークシミュレータハウジング（第２ハウジング）
71  ピストン
80  液圧ユニットハウジング（第１ハウジング）
107  カム室（収容室）
108  カムシャフト（シャフト）
111  液溜め室
211  モータ
801  正面（第１の面）
804  下面（第２の面）
【図１】
2020142749.tif 000003
【図２】
2020142749.tif 000004
【図３】
2020142749.tif 000005
【図４】
2020142749.tif 000006
【図５】
2020142749.tif 000007
【図６】
2020142749.tif 000008
【図７】
2020142749.tif 000009
【図８】
2020142749.tif 000010
【図９】
2020142749.tif 000011